(57)【要約】【課題】スラブ下面に対する排水竪管の固定を容易に行うことができて作業性が良く、安価にて製造できる簡素な構成の排水竪管の支持構造を提供する。【解決手段】排水竪管２を両側から挟み込む一対の支持体３，３と、この支持体３，３によって排水竪管２を挟み込んだ状態で両支持体３，３に係合し前記挟み込み状態を保持するクリップ４と、スラブ５下面に垂下するように取付けられ下部が前記支持体３に連結される略棒状の吊し具６とを備える。【選択図】図１
2010084498.tif 000002
【特許請求の範囲】
【請求項１】
排水竪管を両側から挟み込む一対の支持体と、この支持体によって排水竪管を挟み込んだ状態で両支持体に係合し前記挟み込み状態を保持するクリップと、スラブ下面に垂下するように取付けられ下部が前記支持体に連結される略棒状の吊し具とを備えることを特徴とする排水竪管の支持構造。
【請求項２】
前記両支持体はその一端側においてこれらを開閉自在に連結するヒンジ部と、他端側において前記クリップを係合するクリップ係合部とを備える請求項１に記載の排水竪管の支持構造。
【請求項３】
前記両支持体によって排水竪管を挟み込んだ状態で、両支持体の間に前記吊し具を角度を変えて挟み込むことができる長孔が形成される湾曲部を備え、前記吊し具は長孔より大きなフランジ部を有する請求項１または請求項２に記載の排水竪管の支持構造。
【請求項４】
前記吊し具はスラブ下面に埋設させた雌ねじ部に螺合する雄ねじ部を備え、支持体と連結する直前に屈曲させた吊りボルトである請求項１〜請求項３の何れかに記載の排水竪管の支持構造。
【発明の詳細な説明】
【技術分野】
【０００１】
本発明は、排水竪管をスラブ下面に対して吊すように支持し、その堅牢性を高めることができる排水竪管の支持構造に関する。
【背景技術】
【０００２】
従来より、鉄筋コンクリートの建築物では、スラブに開設した貫通孔を通して排水竪管を配置する。このとき、排水竪管を両側から挟み込むように支持する支持体を用いる。特許文献１（特開２００１−３４８９２６号公報）には、支持体（支持バンド）によって直接排水管を支持した場合にも、排水時の騒音が容易にスラブ面に伝達することがないように、支持バンドに振動吸収性と耐火性を併せ持った素材で形成した防振材を介装する排水管支持バンド用の防振材が記載されている。
【特許文献１】特開２００１−３４８９２６号公報
【発明の開示】
【発明が解決しようとする課題】
【０００３】
ところが、特許文献１に記載の排水管支持バンドは、これによって配管を挟み込むために両端にターンバックル下端に連結された羽子板部を挟み込んだ状態で、複数箇所をボルトとナットによって締付ける必要があった。このため、排水竪管に支持バンドを巻き付けた状態で締付ける作業に手間や作業時間を必要としていた。また、スラブ下面の作業性の悪い環境では、ボルトとナットによる締め付けには無理な姿勢による長時間の作業を必要とするという問題もある。
【０００４】
加えて、スラブに対する排水竪管の位置が幾らかずれることがあり、予めスラブ下面に連結された吊りボルトと排水竪管に取り付けられる排水管支持バンドの水平方向の位置がずれることがあり、この位置ずれによって取付けが困難になることがあった。
【０００５】
本発明は上述の事柄を考慮に入れてなされたものであって、その目的は、スラブ下面に対する排水竪管の固定を容易に行うことができて作業性が良く、安価にて製造できる簡素な構成の排水竪管の支持構造を提供することを目的としている。
【課題を解決するための手段】
【０００６】
上記目的を達成するために、本発明は、排水竪管を両側から挟み込む一対の支持体と、この支持体によって排水竪管を挟み込んだ状態で両支持体に係合し前記挟み込み状態を保持するクリップと、スラブ下面に垂下するように取付けられ下部が前記支持体に連結される略棒状の吊し具とを備えることを特徴とする排水竪管の支持構造を提供する。（請求項１）
【０００７】
前記排水竪管の支持構造では、両支持体によって排水竪管を挟み込んだ状態でクリップを支持体に取り付けることにより、支持体による挟み込み状態を保持することができるので、支持体を排水竪管に位置ずれすることがないように取り付けることができる。また、支持体はスラブ下面に垂下するように取付けられる吊し具に連結されるので、排水竪管をスラブ下面の所定位置に固定することができる。
【０００８】
前記支持体は排水竪管の外周面の半周に当接する半円形状の当接部とこの当接部の両端に延設する平板部とを備え、この平板部に前記吊し具を連結するための連結部を形成することが好ましい。また、支持体は耐腐食性に優れた金属によって形成することが好ましく、例えばステンレスなどの耐腐食性およびおよび剛性に優れた合金からなる。また、排水
竪管との当接部は弾性を備える樹脂からなる緩衝面を備えることが好ましい。
【０００９】
前記クリップは支持体と同じあるいは支持体より高い剛性を有する金属からなる板状体を断面略Π字形状に湾曲させたものであり、これを支持体に係合させることにより両支持体を密着させることができるものであることが好ましい。
【００１０】
前記吊し具はその上端がスラブ下面の適所に埋設させたインサート金物（埋設雌ねじ部）に螺合連結されるものであり、吊し具によって吊す支持体の高さ位置を調節するためのバックルを備えることが好ましい。
【００１１】
前記両支持体はその一端側においてこれらを開閉自在に連結するヒンジ部と、他端側において前記クリップを係合するクリップ係合部とを備える場合（請求項２）には、一つのクリップをクリップ係合部に係合させることによって支持体を挟み込み状態に保持することができるので、この支持体を用いた排水竪管の支持をさらに容易に行うことができる。また、両支持部はヒンジ部によって連結されているので、これらが分離している場合に比べて管理が容易となる。
【００１２】
前記両支持体によって排水竪管を挟み込んだ状態で、両支持体の間に前記吊し具を角度を変えて挟み込むことができる長孔が形成される湾曲部を備え、前記吊し具は長孔より大きなフランジ部を有する場合（請求項３）には、吊し具と支持体の連結部が長孔であり、斜め方向に連結する自由度がある。また、フランジ部が長孔よりも大きいので、支持体と吊し具の連結状態は安定する。
【００１３】
前記吊し具はスラブ下面に埋設させた雌ねじ部に螺合する雄ねじ部を備え、支持体と連結する直前に屈曲させた吊りボルトである場合（請求項４）には、吊し具を屈曲させることにより支持体と吊し具が連結した後の螺合部の緩み止めを行う。
【発明の効果】
【００１４】
上記構成の排水竪管の支持構造によれば、排水竪管をその両側から挟み込むように支持体を配置し、これらの支持体にクリップを挟み込むことにより、クリップを用いた挟み込みといった極めて簡単な操作によって、支持体を排水竪管の所定位置に固定することができる。このとき同時に吊し具も係合させて支持体の位置を固定することができる。
【００１５】
また、支持体の一端側にヒンジ部、他端側にクリップ係合部を備える場合には、クリップ係合部に一つのクリップを係合させるだけの簡単な作業によって、支持体による挟み込み状態を保持できるので、作業性がさらに良い。両支持部はヒンジ部によって連結されているので、部品点数が少なくなり、それだけ管理が容易となる。
【００１６】
支持体に長孔が形成される場合には、吊し具と支持体の連結状態に長孔による自由度があり、吊し具と排水竪管の位置ずれに容易に対応することができる。また、長孔は両支持体による挟み込みによって吊し具を挟み込むことができ、フランジ部が長孔よりも大きいので、支持体と吊し具の連結状態を安定させることができる。
【００１７】
吊し具が螺合連結する吊りボルトであり、支持体と連結する直前に屈曲させたものである場合には、支持体と吊し具を連結した後は螺合部の緩み止めを行うことができる。
【発明を実施するための最良の形態】
【００１８】
図１，２は本発明の第１実施形態にかかる排水竪管の支持構造１の構成を示し、図１は排水竪管の支持構造１の組付状態を示す全体構成図、図２は排水竪管の支持構造１の要部構成を示す図である。
【００１９】
図１において、２は排水を流す排水竪管、３はこの排水竪管２を両側から挟み込む一対の支持体、４はこの支持体３によって排水竪管２を挟み込んだ状態で両支持体３に係合し前記挟み込み状態を保持するクリップ、５は排水竪管の支持構造１を取り付けるスラブ、６はスラブ５の下面に垂下するように取付けられ下部が前記支持体３に連結される略棒状の吊し具である。
【００２０】
前記排水竪管２は排水横枝管２ａと連通連結される継ぎ手２ｂを備える上部排水竪管２ｃと、この上部排水竪管２ｃの下端部に連通連結される下部排水竪管２ｄを備える。また、下部排水竪管２ｄの上端部には上部排水竪管２ｃの下端部を挿入できる拡径部２ｅを形成している。
【００２１】
図２に示すように、前記支持体３は排水竪管２の外周面の半周に当接する半円形状の当接部３ａとこの当接部３ａの両端に延設する平板部３ｂ，３ｃとを備え、この平板部３ｂ，３ｃに前記吊し具６を連結するための連結部３ｄ，３ｅを形成している。また、支持体３は耐腐食性に優れ機械的強度のあるステンレスなどの金属によって形成する。なお、１０は排水竪管２との当接部に取り付けられ、弾性を備えた樹脂からなる一対の緩衝材であり、この緩衝材１０によって排水竪管との当接部に緩衝面を形成する。
【００２２】
さらに、前記支持体３，３はその一端側においてこれらを開閉自在に連結するヒンジ部３ｆと、他端側において前記クリップ４を係合するクリップ係合部３ｇとを備え、かつ、これらの支持体３，３によって排水竪管２を挟み込んだ状態で、両支持体３，３の間に前記吊し具６を角度を変えて挟み込むことができるように前記連結部３ｄ，３ｅの形状が長孔となるように湾曲させた湾曲部３ｈ，３ｉを備える。
【００２３】
前記クリップ４は弾性を備えた金属から成る略帯状の金属を屈曲させて形成したものであり、前記支持体３，３を閉じた状態における前記クリップ係合部３ｇの間隔ｄ１よりも狭い間隔ｄ２の開口４ａを備え、縦断面略Π字形状に湾曲させたものであり、係合状態において支持体３，３を挟み込み方向に押付ける力を加えられる形状である。また、前記開口４ａには先広がりのガイド部４ｂ，４ｃを形成している。
【００２４】
前記スラブ５は前記排水竪管２を貫通し排水竪管２よりも大径の貫通孔５ａを形成しており、この貫通孔５ａの周囲の互いに対向する位置に一対のインサート金物１１を埋設させて前記吊し具６を螺合連結可能に構成された埋設雌ねじ部６ａを形成している。また、１２は前記貫通孔５ａ内に排水竪管２を貫通させた状態で貫通孔５ａと貫通排水管２の間を埋めるモルタルである。
【００２５】
本実施形態の吊し具６は例えばその全長に雄ねじが形成された棒状のボルトであり、その上端部に形成した雄ねじ部６ｂが前記埋設雌ねじ部６ａに螺合連結される。また、吊し具６の下端部にはワッシャ６ｃおよびナット６ｄを備え、吊し具６はこのワッシャ６ｃとナット６ｄによって下端部分に前記長孔３ｅ，３Ｆより大きなフランジ部を有する。なお、フランジ部を形成するナット６ｄのさらに下においてナット６ｄの回り止めを行って吊り具６に螺合連結される緩め止めナット（図外）を備えることが好ましい。
【００２６】
以下、前記構成の排水竪管の支持構造を用いて、排水竪管２の位置を固定する作業工程を説明する。
【００２７】
スラブ５に開設された貫通孔５ａ内に排水竪管２を配置し、排水竪管２と貫通孔５ａの隙間にモルタル１２を充填させた状態で、前記一対の雌ねじ部６ａに一対の吊し具６を螺合連結し、これらの吊し具６，６を、その下端部分の位置が排水竪管２の位置に合わせて
配置されるように、内側に折り曲げる。
【００２８】
次いで、屈曲させた吊し具６の下端部を前記連結部３ｄ，３ｅによって挟み込むと同時に、排水竪管２を湾曲部３によって挟み込むようにし、前記クリップ係合部３ｇにクリップ４を係合させる。つまり、クリップ係合部３ｇにクリップ４を係合させるだけの簡単な作業によって吊し具６と支持部３の連結および、支持部３による排水竪管２の挟み込みの両方を一度に行うことができるので、作業効率がよい。また、クリップ４の開口部の間隔ｄ２が前記クリップ係合部３ｇの間隔ｄ１よりも狭いので、クリップ４によって支持体３を挟み込み方向に付勢することができる。
【００２９】
同時に、このとき前記吊し具６が内側に屈曲するので設置後に雌ねじ部６ａに対して吊し具６，６が回転することがなく、取付け状態を安定させることができる。また、本実施形態の排水竪管の支持構造１では、吊し具６はその全長に雄ねじが形成された棒状のボルトであるから、吊し具６の下端部からワッシャ６ｃとナット６ｄを取り付けることにより、これらの部材６ｃ，６ｄによって形成されるフランジ部の位置を調節することができ、これによって、支持体３の高さ位置を安定させることができる。
【００３０】
なお、ワッシャ６ｃとナット６ｄの取付けは支持体３によって排水竪管２を挟み込んだ後に行って、支持体３の高さ位置を前記拡径部２ｅの直下の位置になるように微調整することができるが、先にワッシャ６ｃとナット６ｄを取り付けた後に、支持体３によって排水竪管２を挟み込むようにしてもよい。
【００３１】
また、吊し具６は前記長孔に形成された連結部３ｄ，３ｅに狭持されるものであるから、取付け角度が斜めになっても連結することができるので、自由度がある。したがって、吊し具６の位置と排水竪管２の位置がずれている場合にも排水竪管２をスラブ下面に取り付けることができる。
【００３２】
図３は第２実施形態の排水竪管の支持構造１Ａの構成を示す図である。図３に示すように、吊し具６’はその下端部に予めフランジ部６ｅを形成したものであってもよい。この場合、吊し具６’は前記雌ねじ部６ａに螺合連結する部分だけ雄ねじ６ｂを形成したものであればよい。その他の構成については、第１実施形態と同じであるから同じ符号を付すことにより、重複説明を避ける。
【００３３】
また、上述した各実施形態では支持体３の一端部にヒンジ部３ｆを設けたことにより、支持体３の他端部の一箇所に形成されたクリップ係合部３ｇに一本のクリップ４を取り付けるだけで支持体３による排水竪管２の挟み込みを行うことができるが、支持体３はその一端側においてもクリップ係合部を形成し、当接部３ａを挟む両端側においてそれぞれクリップ４を係合するようにしてもよい。
【図面の簡単な説明】
【００３４】
【図１】本発明の第１実施形態にかかる排水竪管の支持構造の全体を示す図である。
【図２】前記排水竪管の支持構造の要部構成を示す図である。
【図３】第２実施形態にかかる排水竪管の支持構造を示す図である。
【符号の説明】
【００３５】
１，１Ａ    排水竪管の支持構造
２          排水竪管
３          支持体
３ｆ        ヒンジ部
３ｇ        クリップ係合部
３ｄ，３ｅ  長孔
３ｈ，３ｉ  湾曲部
４          クリップ
５          スラブ
６，６’    吊し具
６ａ        雌ねじ部
６ｂ        雄ねじ部
６ｃ〜６ｅ  フランジ部
【図１】
2010084498.tif 000003
【図２】
2010084498.tif 000004
【図３】
2010084498.tif 000005